(57)【要約】      （修正有）【課題】作製する時、不要な部分が発生しないため、原料を浪費しなく、また、保管空間を節約できる、剥離保密防偽テープ構造を提供する。【解決手段】剥離保密防偽テープ構造であって、テープとテープを収納する位置付け部品とが含有され、当該位置付け部品の上方には、対称するストッパーが設けられ、テープは、複数のフィルムがあり、それぞれのフィルムの底面においては、一端に、粘着剤なしの手持ち部が設けられ、隣接する上下層の手持ち部同士は、前後に交互に重ね合う。テープの上層の一つのフィルムが手持ち部で上へ引かれると、フィルムの底面にある粘着剤により、下方のフィルムの手持ち部が、上へ引かれ、位置付け部品の上方のストッパーに位置付けられ、これにより、フィルムが連続的に引かれて使用される。また、上記のフィルムが物件に粘着されて剥離された後、警告のための図柄や文字が露出され、連続的に剥離可能な保密防偽テープである。【選択図】図1
0003116659.tif 000002
【実用新案登録請求の範囲】
【請求項１】
複数のフィルムがあり、当該フィルムの頂面に、粘着不可な離型剤が塗布され、当該フィルムの底面において、一端に、粘着剤なしの手持ち部が設けられ、隣接する上下層の手持ち部同士が前後に交互に重ね合い、もう一端の下方にプリント文字や図柄を有する分離層が設けられ、当該分離層の下方にプリントインク層が塗布され、当該プリントインク層の下方に、物件に粘着されるための粘着剤層が設けられ、フィルムが剥離されると、物件に警告のための図柄や文字が表示されるテープと、
テープを収納するための収納空間が設けられ、上方に、互いに向かう二つのストッパーが設けられ、テープの上層のフィルムが、手持ち部が上へ引かれると、フィルムの底面にある粘着剤により、下方にあるフィルムの手持ち部が上へ引かれ、ストッパーに位置付けるように、フィルムが、連続的に引かれて使用される位置付け部品と、が含有される、ことを特徴とする剥離保密防偽テープ構造。
【請求項２】
当該プリントインク層と粘着剤層との間には、分離層のプリント文字が表示された後、再び黏結することができないために、更に分離薬液が塗布される、ことを特徴とする請求項１に記載の剥離保密防偽テープ構造。
【請求項３】
フィルムと粘着剤層との間のプリント文字や図柄は、物件を剥離する過程において、分離されてから再結合されるため、正しく位置付けることが出来なく、ずれる状態になる、ことを特徴とする請求項１に記載の剥離保密防偽テープ構造。
【請求項４】
当該分離層は、分離薬液が混合されたプリント文字や図柄からなる、ことを特徴とする請求項１に記載の剥離保密防偽テープ構造。
【考案の詳細な説明】
【技術分野】
【０００１】
本考案は、剥離保密防偽テープ構造に関し、特に、複数の保密防偽フィルムを交互的に重ね合い、位置付け部品により、フィルムが連続的に引かれる構造であって、使用効率が向上され、また、物件に粘着された後、簡単に剥離でき、防偽の効果が得られる、連続的に剥離出来る保密防偽テープに関する。
【背景技術】
【０００２】
保密の効果が得られる、様々の防偽テープが登場した。一般な防偽テープは、主として、ステッカー式（図12のように）であり、即ち、ステッカーを粘着不可である離型フィルム紙a上に粘着して、当該ステッカーには、複数の整列になる防偽テープbが含まれ、そして、整形の工程により、防偽テープb同士の間にある不要な部分を剥離することにより、ユーザーは、一つづつ、防偽テープbを使用することが出来る。
【０００３】
上記のステッカー式の防偽テープbは、防偽の作用を有するため、保密の効果が得られるが、実際使用する時、以下の欠点を解決しなければならない。
【０００４】
1、ステッカー式である防偽テープを作製する時、不要な部分があるため、原料が浪費され、また、不要な部分を剥離する工程が追加されるため、人件費や時間コストが、高くなる。
【０００５】
2、防偽テープは、同時に、シート状の離型フィルム紙に粘着されるため、その長さや幅が、一つのシートのテープより、遥かに大きいから、保管するには、空間が取られるし、皺などが容易に形成される。
【０００６】
3、防偽テープを使用する時、離型フィルム紙から一々剥離することが必要であるため、大量に使用する時、膨大な工時が必要である。
【０００７】
4、防偽テープを物件に粘着した後、全面的に貼り合わせるため、其れを剥離する時、手持ちところがないため、剥離し難い。
【０００８】
本考案は、上記の欠点を改善するため、本考案者により長年の経験に基づく、絶えずに試作することにより開発された、単一のシートで堆積する方式により、不要な部分の発生を解消して、原料の浪費が避けられ、また、保管空間の節約ができ、そして、連続的に一つづつ保密防偽テープを剥離できるため、使用効率が向上され、また、物件に粘着された後、簡単に剥離される、剥離保密防偽テープ構造である。
【考案の開示】
【考案が解決しようとする課題】
【０００９】
本考案の主な目的は、テープが複数の保密防偽フィルムから堆積され、作製する時、不要な部分が発生しないため、原料を浪費しなく、また、保管空間を節約できる、剥離保密防偽テープ構造を提供する。
【００１０】
本考案の他の目的は、複数の保密防偽フィルムを交互的に重ね合い、また、位置付け部品を設置することにより、フィルムが連続的に引かれることができ、これにより、使用効率が向上され、また、物件に粘着された後、簡単に剥離される、剥離保密防偽テープ構造を提供する。
【課題を解決するための手段】
【００１１】
本考案は、上記の考案の目的を達成するための剥離保密防偽テープ構造であり、テープと位置付け部品が含有される。当該テープには、複数のフィルムがあり、何れのフィルムの頂面に、粘着不可な離型剤が塗布され、当該フィルムの底面において、一端に、粘着剤なしの手持ち部が設けられ、隣接する上下層の手持ち部同士が前後に交互に重ね合い、もう一端の下方に、プリント文字や図柄を有する分離層が設けられ、当該分離層の下方にプリントインク層が塗布され、当該プリントインク層の下方に、物件に粘着されるための粘着剤層が設けられる。フィルムが剥離されると、当該分離層により、物件に警告のための図柄や文字が表示される。また、当該位置付け部品に、テープを収納するための収納空間が設けられ、当該位置付け部品の上方に、互いに向かう二つのストッパーが設けられ、テープの上層のフィルムが、手持ち部で上へ引かれると、フィルムの底面にある粘着剤により、下方にあるフィルムの手持ち部が上へ引かれ、ストッパーに位置付けるため、フィルムが、連続的に引かれて使用される。
【考案を実施するための最良の形態】
【００１２】
以下は、図面を参照しながら、本考案を詳しく説明する。
【００１３】
図1〜3は、本考案に係わる剥離保密防偽テープ構造1のより良い実施例であり、テープ2と位置付け部品3とが含有される。
【００１４】
当該テープ2には、複数のストライプであるフィルム21があり、当該何れのフィルム21の頂面には、粘着不可な離型剤22が塗布され、当該フィルム21の底面においては、一端に、粘着剤なしの手持ち部23が設けられ、隣接する上下層の手持ち部23同士は、前後に交互に重ね合い、当該手持ち部23は、必要に応じて、異なる色であることが出来る。当該フィルム21の底面においては、もう一端に、プリント文字や図柄を有する分離層24が設けられ、当該分離層24の下方にプリントインク層25が塗布され、また、当該プリントインク層の下方に、粘着剤層26が設けられる。
【００１５】
当該位置付け部品3には、テープ2を容納するための収納空間31が設けられ、当該位置付け部品3の上方には、互いに向かう二つのストッパー32が設けられ、また、当該二つのストッパー32は、それぞれに、テープ2の両端の上方に位置付ける。テープ2の上層のフィルム21が、手持ち部23で上へ引かれると、フィルム21の底面にある粘着剤層26により、下方にあるフィルム21の手持ち部22が上へ引かれ、ストッパー32に位置付けるため、フィルム21が、連続的に引かれて使用される（図4のように）。図5〜8は、様々の位置付け部品3の態様であり、その上方において、同じように、互いに向かう二つのストッパー32が設けられることにより、連続的にシートを剥離する効果が得られる。
【００１６】
図3、9のように、当該分離層23は、透明分離薬液とプリント文字とからなる。フィルム21が剥離されると、分離層24のプリント文字や図柄と、フィルム21との黏著力が、分離層24と粘着剤層26との黏結力より大きいため、物件9と粘着剤層26とが貼り合わせられて、分離層24から剥離され、分離層24上のプリント文字や図柄が表示されて、警告の作用が得られる。フィルム21と物件9とが改めて貼り合わせられると、フィルム21と物件9とのプリント文字が正しく位置付けられるため、ずれる状態になって、当該物件9が開けられたことがあると明白的に示し、これにより、警告や保密防偽の効果が得られる。
【００１７】
当該粘着剤層26は、物件9が剥離される時、依然として、物件9の上に粘着されるため、再び貼りつけることが出来、粘着剤層26が剥離可能である物件9の材質で作製される場合、当該粘着剤層26は、フィルム21と同時に物件9の表面から剥離され、粘着剤が残さず、また、フィルム21と粘着剤層26との間のプリント文字や図柄は、物件9を剥離する過程において、分離されてから再結合されるため、依然として、フィルム21と粘着剤層26との間に介在しても、正しく位置付けることが出来ないため、ずれる状態になる。
【００１８】
図10、11は、保密防偽テープ2の他の実施態様であり、当該プリントインク層25と粘着剤層26との間に、分離薬液27が塗布される。フィルム21が剥離されると、同じように、分離層24上のプリント文字や図柄が表示され、警告の作用が得られる。上記の分離薬液27による隔離によって、フィルム21は、再び物件9に粘着されることができなくなり、分離の状態になる。
【００１９】
本考案によれば、以下の利点が得られる。
【００２０】
1、本考案に係わるテープは、堆積することにより構成させる複数の保密防偽フィルムがあるため、有効的に、作製する時、不要な部分の発生を解消して、原料の浪費が避けられ、また、保管空間の節約が出来る。
【００２１】
2、本考案に係わるテープは、位置付け部品を設置することにより、フィルムが連続的に引かれることができるため、使用効率が大幅に向上されるだけでなく、物件に粘着した後、簡単に剥離され、従来構造において剥離し難い問題が解決される。
【００２２】
3、本考案は、機密のグレードに基づいて、手持ち部を異なる色にすることにより、実際に使用する時、類別表示の作用が得られる。
【００２３】
4、本考案は、様々な異なる形式の保密防偽テープが使用でき、そして、様々な異なる形式の位置付け部品に適用されるため、使用上、非常に柔軟的である。
【００２４】
以上の説明のように、本考案は、堆積による方式で、不要な部分の発生を解消して、原料の浪費が避けられ、そして、保管空間の節約や連続的に保密防偽テープを剥離することにより、使用効率が向上され、また、物件に粘着された後、簡単に剥離される、確実的に予期の目的が達成される、剥離保密防偽テープ構造であり、実用性があるため、法に従って実用新案登録申請を出願する。
【図面の簡単な説明】
【００２５】
【図１】本考案に係わる実施例の使用状態図
【図２】本考案に係わる実施例の素子分解図
【図３】本考案に係わる実施例の組合わせ断面図
【図４】本考案に係わる実施例の使用状態図
【図５】本考案に係わる実施例の位置付け部品の立体外観図
【図６】本考案に係わる実施例の位置付け部品の立体外観図
【図７】本考案に係わる実施例の位置付け部品の立体外観図
【図８】本考案に係わる実施例の位置付け部品の立体外観図
【図９】本考案に係わる実施例の使用状態図
【図１０】本考案に係わるテープのプリントインク層と粘着剤層との間に分離薬液が塗布される時の組合わせ断面図。
【図１１】図10の構造の使用状態図
【図１２】従来のステッカー式の防偽テープの概念図
【符号の説明】
【００２６】
1      剥離保密防偽テープ構造
2      テープ
21     フィルム
22     離型剤
23     手持ち部
24     分離層
25     プリントインク層
26     粘着剤層
27     分離薬液
3      位置付け部品
31     収納空間
32     ストッパー
9      物件
a      離型フィルム紙
b      テープ
【図１】
0003116659.tif 000003
【図２】
0003116659.tif 000004
【図３】
0003116659.tif 000005
【図４】
0003116659.tif 000006
【図５】
0003116659.tif 000007
【図６】
0003116659.tif 000008
【図７】
0003116659.tif 000009
【図８】
0003116659.tif 000010
【図９】
0003116659.tif 000011
【図１０】
0003116659.tif 000012
【図１１】
0003116659.tif 000013
【図１２】
0003116659.tif 000014